(57)【要約】【課題】木製部材、鋼製部材等の吊り上げ対象物への着脱等の取り扱いが簡単で、しかも確実に保持することができ、構造も簡単な吊り上げ治具を得る。【解決手段】吊り上げ治具１０は、吊り上げ対象物１，３の上方に配置され下方に延設した左右一対の支持片１２，１２で該対象物を両側から挟み込んで保持する治具本体１１と、一端が昇降手段に連結されるとともに治具本体の一端側に設けたベルト挿通部１３に挿通され、支持片で保持した対象物の下側を迂回してから治具本体の他端側に設けた掛け止め機構部２０に掛け止めされる吊り上げベルト１５を備える。掛け止め機構部は、治具本体に軸支され上端部にベルト一端側を挿通させるベルト挿通部２１を有するロックレバー２２と、治具本体に軸支され内方端にロックレバー下端の係合部２２ａに係合する被係合部２４ａを有するベルト掛け止め片２４と、治具本体の一部に設けられベルト掛け止め片の外方端に係合してこれをロックする係止リング２５とからなる。【選択図】　　　　図１
2004018164.tif 000002
【特許請求の範囲】
【請求項１】
吊り上げ機構の昇降手段に取付けられ吊り上げ対象物を保持して吊り上げるために用いられる吊り上げ治具であって、
吊り上げ対象物の上方に該吊り上げ対象物の長手方向に直交する状態で配置される治具本体と、
一端が前記昇降手段に連結されるとともに、前記治具本体の一端側に設けたベルト挿通部に挿通され、吊り上げ対象物の下側を迂回してから前記治具本体の他端側に設けられている掛け止め機構部に選択的に掛け止めされる吊り上げベルトとを備え、
前記掛け止め機構部は、
前記治具本体に軸支されるとともに上方に延設された上端部に前記吊り上げベルトの一端側を挿通させるベルト挿通部が設けられているロックレバーと、
前記治具本体のロックレバー軸支部よりも他端寄りの部分に軸支され内方端に前記ロックレバーの下端部に設けた係合部に係合する被係合部を有し、外方端が治具本体よりも外方に突出するように設けられているベルト掛け止め片と、
前記治具本体の一部に回動可能に設けられ前記ベルト掛け止め片の外方端に係合することにより該ベルト掛け止め片をロック状態に保持する係止リングとによって構成されていることを特徴とする吊り上げ治具。
【請求項２】
請求項１記載の吊り上げ治具において、
前記吊り上げベルトの他端には、前記ベルト掛け止め片の掛け止め部に係止されるリング部材が設けられていることを特徴とする吊り上げ治具。
【請求項３】
請求項１または請求項２記載の吊り上げ治具において、
前記係止リングは、前記治具本体の他端部から上方に延設した延設片の上端部に回動可能に設けられ、前記ベルト掛け止め片の外方端に係合することにより該ベルト掛け止め片を前記ロックレバーとの係合が維持される状態で係止するように構成されていることを特徴とする吊り上げ治具。
【請求項４】
請求項３記載の吊り上げ治具において、
前記係止リングには、前記ロックレバーとの係合が解除されて前記ベルト掛け止め片が回動したときに、該ベルト掛け止め片の外方端に係合しない位置に移動する付勢力を与える付勢手段が付設されていることを特徴とする吊り上げ治具。
【請求項５】
請求項１ないし請求項４のいずれか１項に記載の吊り上げ治具において、
前記治具本体は、吊り上げ対象物を両側から挟み込んで保持するように下方に延設させた左右一対の支持片を備え、
これらの支持片間に、吊り上げ対象物としての木製部材を介在させて保持する保持部を形成するとともに、
前記支持片の先端に、吊り上げ対象物としての鋼製部材を保持する保持部を形成したことを特徴とする吊り上げ治具。
【請求項６】
請求項５記載の吊り上げ治具において、
前記左右一対の支持片は、その間の間隔を調整可能な状態で治具本体に設けられていることを特徴とする吊り上げ治具。
【発明の詳細な説明】
【０００１】
【発明の属する技術分野】
本発明は、吊り上げ対象物、例えば木材やＨ型鋼材からなる梁材等の建築部材を吊り上げ機構により昇降搬送するために用いられる吊り上げ治具に関する。
【０００２】
【従来の技術】
一般に、重量物、例えば建築部材を吊り上げる場合において、クレーンなどの吊り上げ機構が用いられている。このような吊り上げ機構においては、その吊り上げ機構の昇降手段と吊り上げ対象物との結合を行うための部材である吊り上げ治具が必要である。
【０００３】
すなわち、吊り上げ機構の昇降手段が吊り上げ対象物を確実に保持しておくことができるように、何らかの部材によって吊り上げ対象物を確実に係止しておく必要がある。
【０００４】
図４（ａ）には、建築部材である木製の梁材１を吊り上げる場合の例が示されており、吊り上げ機構の昇降手段のフック部（図示せず）にロープ２を引っ掛け、さらにこのロープ２によって吊り上げ対象物である梁材１を保持するようにしている。
【０００５】
本例では、ロープ２の両端にリング状部分２ａを形成しておき、この一端側のリング状部分２ａに他端を挿通させることにより、梁材１を締め付けるようにして持ち上げるものである。
【０００６】
また、図７（ｂ）に示すように、鋼製の梁材３、例えばＨ型鋼材を吊り上げる場合も、上記と同様の方法が採られていた。
【０００７】
しかし、上述したようなロープ２による吊り上げ方法では、吊り上げ対象物を一旦持ち上げて、ロープ２を下側に通す作業を行う必要があるので、非常に重量のあるものの場合、きわめて煩雑な作業を行わなければならないという問題があった。
【０００８】
このため、従来から種々の構造をもつ吊り上げ治具が提案されており、例えば、吊り上げ対象物が木製の部材にあっては、実開平４−１００１８５号公報の吊り上げ治具の提案がなされている。また、建築部材が鋼製部材、例えばＨ型鋼等を吊り上げる場合の提案としては、特開平５−８９８５号公報のような吊り上げ治具が知られている。
【０００９】
【発明が解決しようとする課題】
しかしながら、従来から知られている吊り上げ治具はいずれも一長一短があり、簡単な構造をもち、着脱等の取り扱いが簡単で、しかも吊り上げ対象物を確実に保持することができるものは未だ提案されていない。特に、従来の吊り上げ治具のほとんどは、吊り上げ対象物に対しての着脱に時間がかかり、また多数の吊り上げ対象物を吊り上げる場合にはきわめて不便であるという問題をもつものであった。
【００１０】
例えば上述した実開平４−１００１８５号公報や特開平５−８９８５号公報の吊り上げ治具は、それぞれ木製部材、鋼製部材専用のものであり、汎用性に乏しく、建築現場での使い勝手が悪いものであった。
【００１１】
本発明はこのような事情に鑑みてなされたものであり、木製部材、鋼製部材等といった種々の吊り上げ対象物を吊り上げ機構の昇降手段による吊り上げの際に、吊り上げ対象物の種類の如何にかかわらず着脱等の取り扱いがきわめて簡単に行え、しかも確実に保持して吊り上げることができ、また構造も簡単である吊り上げ治具を提供することを目的とする。
【００１２】
【課題を解決するための手段】
このような目的に応えるために本発明（請求項１記載の発明）に係る吊り上げ治具は、吊り上げ機構の昇降手段に取付けられ吊り上げ対象物（１，３）を保持して吊り上げるために用いられる吊り上げ治具（１０）であって、吊り上げ対象物（１，３）の上方に該吊り上げ対象物（１，３）の長手方向に直交する状態で配置される治具本体（１１）と、一端が前記昇降手段に連結されるとともに、前記治具本体（１１）の一端側に設けたベルト挿通部（１３）に挿通され、吊り上げ対象物（１，３）の下側を迂回してから前記治具本体（１１）の他端側に設けられている掛け止め機構部（２０）に選択的に掛け止めされる吊り上げベルト（１５）とを備え、前記掛け止め機構部（２０）は、前記治具本体（１１）に軸支されるとともに上方に延設された上端部に前記吊り上げベルト（１５）の一端側を挿通させるベルト挿通部（２１）が設けられているロックレバー（２２）と、前記治具本体（１１）のロックレバー軸支部（２３）よりも他端寄りの部分に軸支され内方端に前記ロックレバー（２２）の下端部に設けた係合部（２２ａ）に係合する被係合部（２４ａ）を有し、外方端が治具本体（１１）よりも外方に突出するように設けられているベルト掛け止め片（２４）と、前記治具本体（１１）の一部に回動可能に設けられ前記ベルト掛け止め片（２４）の外方端に係合することにより該ベルト掛け止め片（２４）をロック状態に保持する係止リング（２５）とによって構成されていることを特徴とする。
【００１３】
本発明（請求項２記載の発明）に係る吊り上げ治具は、請求項１記載の吊り上げ治具において、前記吊り上げベルト（１５）の他端には、前記ベルト掛け止め片（２４）の掛け止め部（２８）に係止されるリング部材（１６）が設けられていることを特徴とする。
【００１４】
本発明（請求項３記載の発明）に係る吊り上げ治具は、請求項１または請求項２記載の吊り上げ治具において、前記係止リング（２５）は、前記治具本体（１１）の他端部から上方に延設した延設片（１８）の上端部に回動可能に設けられ、前記ベルト掛け止め片（２４）の外方端に係合することにより該ベルト掛け止め片（２４）を前記ロックレバー（２２）との係合が維持される状態で係止するように構成されていることを特徴とする。
【００１５】
本発明（請求項４記載の発明）に係る吊り上げ治具は、請求項３記載の吊り上げ治具において、前記係止リング（２５）には、前記ロックレバー（２２）との係合が解除されて前記ベルト掛け止め片（２４）が回動したときに、該ベルト掛け止め片（２４）の外方端に係合しない位置に移動する付勢力を与える付勢手段（２６）が付設されていることを特徴とする。
【００１６】
本発明（請求項５記載の発明）に係る吊り上げ治具は、請求項１ないし請求項４のいずれか１項に記載の吊り上げ治具において、前記治具本体（１１）は、吊り上げ対象物を両側から挟み込んで保持するように下方に延設させた左右一対の支持片（１２，１２）を備え、これらの支持片（１２，１２）間に、吊り上げ対象物としての木製部材（１）を介在させて保持する保持部を形成するとともに、前記支持片（１２，１２）の先端に、吊り上げ対象物としての鋼製部材（３）を保持する保持部を形成したことを特徴とする。
【００１７】
本発明（請求項６記載の発明）に係る吊り上げ治具は、請求項５記載の吊り上げ治具において、前記左右一対の支持片（１２，１２）は、その間の間隔を調整可能な状態で治具本体（１１）に設けられていることを特徴とする。
【００１８】
本発明による吊り上げ治具（１０）によれば、以下のようにして吊り上げ対象物（１．３）の吊り上げが行える。
すなわち、吊り上げ対象物（１，３）の上部に吊り上げ治具（１０）の治具本体（１１）を、長手方向に直交する方向において載置し、その支持片（１２，１２）で両側から挟み込む。
【００１９】
次に、吊り上げ機構の昇降手段に連結されている吊り上げベルト（１５）を、ロックレバー（２２）上端部のベルト挿通部（２１）、さらに治具本体（１１）の一端に設けたベルト挿通部（１３）を挿通させた状態で、対象物（１，３）の下方にもって行き、その下側部分を通して治具本体（１１）の他端に設けたベルト掛け止め機構部（２０）に掛け止めするとよい。
【００２０】
これを詳述すると、ベルト先端に設けているリング部材（１６）を、治具本体（１１）に設けているベルト掛け止め片（２４）の掛け止め部（２８）に係止させ、この状態で該ベルト掛け止め片（２４）の外方端に係止リング（２５）を係止する。この状態で、ベルト（１５）を一端側に引っ張り、ベルト挿通部（２１）を介してロックレバー（２２）に図中時計方向の荷重を作用させると、該ロックレバー（２２）の係合部（２２ａ）が掛け止め片（２４）の被係合部（２４ａ）に係合してロック状態となる。
【００２１】
この状態でベルト（１５）の一端を吊り上げ機構の昇降手段で吊り上げると、上記のロック状態を維持した状態で、吊り上げ対象物（１，３）の吊り上げ搬送が可能となる。
【００２２】
所定の搬送位置まで搬送して、該対象物（１，３）を所定箇所に載置し、ベルト（１５）を緩めると、前記ベルト挿通部（２１）を介してのロックレバー（２２）への荷重がなくなり、その結果ロックレバー（２２）は図中反時計方向に回動し、掛け止め片（２４）への係合状態が解除される。
ここで、このロックレバー（２２）には、その軸支部（２３）による軸支位置を偏心させることにより、自重により図中反時計方向への回動習性が与えられており、上記の吊り上げ状態にないときには、図中反時計方向に回動している。
【００２３】
また、上記のように係合状態が解除されると、掛け止め片（２４）は、ひも（２９）を下方に引っ張ることにより図中時計方向に回動させることができる。すると、掛け止め片（２４）と係止リング（２５）との係止状態が解除されるとともに、該係止リング（２５）は、付勢手段（２６）の付勢力で上方に回動する。その結果、前記ベルト（１５）の先端に設けたリング部材（１６）を掛け止め片（２４）から外すことができる。
これにより、吊り上げ対象物（１，３）から治具（１０）を取り外すことができるのである。
【００２４】
【発明の実施の形態】
図１ないし図３は本発明に係る吊り上げ治具の一実施の形態を示す。
これらの図において、符号１０は吊り上げ治具であって、この吊り上げ治具１０は、図示しない吊り上げ機構、例えばクレーンの昇降手段としての例えばワイヤに取り付けられて、吊り上げ対象物、例えば木製梁材１あるいはＨ型鋼材等の鋼製梁材３を挟持して吊り上げる機能を有している。
【００２５】
前記吊り上げ治具１０は、吊り上げ対象物１，３の上方に該吊り上げ対象物１，３の長手方向に直交する状態で配置され下方に延設した左右一対の支持片１２，１２で吊り上げ対象物１，２を両側から挟み込んで保持するように構成されている治具本体１１と、一端が昇降手段側（図示せず）に連結されるとともに、治具本体１１の一端側に設けたベルト挿通部１３に挿通され、前記支持片１２，１２に保持した吊り上げ対象物１，３の下側を迂回してから治具本体１１の他端側に設けられているベルト掛け止め機構部２０に選択的に掛け止めされる吊り上げベルト１５とを備えている。
【００２６】
ここで、前記ベルト１５の先端部には、掛け止め機構部２０に掛け止めされる部分にシャックルと呼ばれるリング状構成部材からなるリング部材１６が設けられている。これは、吊り上げ対象物１，３の吊り上げ作業時に掛け止め機構２０に対して頻繁に着脱されるところであるから、ベルト１５の痛みを抑えることができるようにするためである。勿論、これに限定されるものではない。
【００２７】
また、前記ベルト挿通部１３はリング状の鋼製部材からなり、またこのベルト挿通部１３を設けた治具本体１１の一端部には、ベルト１５が摺動可能に摺接するように転動ローラ部１７が設けられている。この転動ローラ部１７は、単純な円弧面による転動面を有する形状のものであれば、どのようなものでもよい。要は、ベルト１５が摺接しても、すり切れたりすることがないように機能できればよい。
【００２８】
前記掛け止め機構部２０は、前記治具本体１１に軸支部２３により軸支されるとともに該治具本体１１の上方に延設された上端部に前記吊り上げベルト１５の一端側を挿通させるためのベルト挿通部２１が設けられているロックレバー２２を備えている。このロックレバー２２はほぼＬ字状を呈し、治具本体１１の他端寄りの部分に軸支して設けられ、下端側の端部には、後述する係合部としての係合突部２２ａが設けられている。ここで、このロックレバー２２の軸支部２３は、偏心した位置にあり、自重により図中反時計方向への回動習性が与えられている。
【００２９】
したがって、このロックレバー２２は、図１に示す吊り上げ状態において図中時計方向への荷重を受けており、このときは後述する掛け止め片２４をロック状態とするように図中時計方向に回動しており、一方荷重がなくなると、図中反時計方向に回動して該掛け止め片２４がロック解除状態になることを許容するように構成されている。
【００３０】
また、前記掛け止め機構部２０は、前記治具本体１１のロックレバー軸支部２３よりも他端寄りの部分に軸支部２４ｂで軸支され、内方端に前記ロックレバー２２の下端側に設けた係合突部２２ａに係合する被係合部である係合溝２４ａを有し、さらに外方端が治具本体１１よりも外方に突出するように設けられているベルト掛け止め片２４と、前記治具本体１１の一部、すなわち該本体１１の他端から上方に延設された延設片１８の上端部に回動可能に設けられ前記ベルト掛け止め片２４の外方端に係合することにより該ベルト掛け止め片２４をロック状態に保持する係止リング２５とを備えている。
【００３１】
また、前記ベルト掛け止め片２４の内方端には、図３に示すように、ひも２９等が設けられ、このひも２９は下方に吊り下げされている。このひも２９は、掛け止め片２４を図中時計方向に回動させるためのものである。すなわち、吊り上げ対象物１，３である梁材を所定箇所まで吊り上げ、該梁材の設置作業が終わった段階で、下側にいる作業者がひも２９を引っ張ることで掛け止め片２４を回動させて、係止リング２５との係合状態を解除させるためのものである。
ここで、ベルト掛け止め片２４には、係止リング２５との係合状態を維持するように図中反時計方向への付勢力がばね（図示せず）等で与えられている。
【００３２】
図１ないし図３から明らかなように、ベルト掛け止め片２４は、外方端にゆくにしたがって湾曲して上方に立ち上がる形状をもち、前記リング部材１６を掛け止めする掛け止め部２８を有している。また、外方端部分には、前記係止リング２５が係止される係止溝部２７が形成され、これに係止リング２５が係止されることにより、ベルト１５を掛け止めした状態を維持するようになっている。
【００３３】
なお、この係止リング２５も、鋼製のリング部材からなる。
また、この係止リング２５は、治具本体１１の他端部に設けた延設片１８の上端部に回動可能に設けられるとともに、この軸支部に設けた付勢手段であるコイルばね２６によって、ベルト掛け止め片２４の外方端の係止溝部２７に常時係合するような付勢力を与えられており、これによりベルト掛け止め片２４を前記ロックレバー２２との係合が維持される状態で係止するように構成されている。
【００３４】
ここで、上述した治具本体１１の吊り上げ対象物１，３の保持部としては、左右一対の支持片１２，１２の間の上方位置を、吊り上げ対象物としての木製部材を介在させて保持する保持部としている。さらに、前記支持片１２，１２の先端に、吊り上げ対象物としての鋼製部材３を保持する保持部としており、該保持部を、Ｈ型鋼材の上側フランジを押さえ込むことにより挟み込んで保持できるような形状とした保持片部１２ａ，１２ａを形成することにより構成している。この保持片１２ａ，１２ａ間に上側フランジを挟み込み保持させた場合、図１に示すように該鋼製部材３の下側を持ち上げるように挿通されているベルト１５と共同して保持することができるのである。
なお、図１に示す例では、吊り上げ対象物１，３として、木製部材と構成部材とを結合することにより得られる合成梁材を吊り上げた場合を示すが、これに限定されるものではない。
【００３５】
以上の構成による吊り上げ治具１０は、以下のようにして使用される。
すなわち、吊り上げ対象物１，３の上部に吊り上げ治具１０の治具本体１１を、図１、図２に示すように、長手方向に直交する方向において載置し、その支持片１２，１２で両側から挟み込む。
【００３６】
次に、吊り上げ機構の昇降手段に連結されている吊り上げベルト１５を、ロックレバー２２上端部のベルト挿通部２１、さらに治具本体１１の一端に設けたベルト挿通部１３を挿通させた状態で、対象物１，３の下方にもって行き、その下側部分を通して治具本体１１の他端に設けたベルト掛け止め機構部２０に掛け止めする。
【００３７】
これを詳述すると、ベルト１５の先端に設けているリング部材１６を、治具本体１１の他端側のベルト掛け止め片２４の掛け止め部２８に係止させ、この状態で該ベルト掛け止め片２４の外方端に係止リング２５を係止させる。この状態で、ベルト１５を一端側に引っ張り、ベルト挿通部２１を介してロックレバー２２に図中時計方向の荷重を作用させると、該ロックレバー２２の係合突部２２ａが掛け止め片２４の被係合部である係合溝２４ａに係合してロック状態となる。
【００３８】
この状態でベルト１５の一端を吊り上げ機構の昇降手段で吊り上げると、上記のロック状態を維持した状態で、吊り上げ対象物１，３の吊り上げ搬送が可能となる。
【００３９】
また、所定の搬送位置まで搬送して、該対象物１，３を所定箇所に載置し、ベルト１５を緩めると、前記ベルト挿通部２１を介してのロックレバー２２への荷重がなくなり、その結果ロックレバー２２は、自重による回動習性によって図中反時計方向に回動し、掛け止め片２４への係合状態が解除される。
【００４０】
このように係合状態が解除された後、ひも２９を引っ張ることで掛け止め片２４は図中時計方向に回動させると、係止リング２５との係合が解除され、さらに係止リング２５が付勢手段２６の付勢力で上方に回動するから、前記ベルト１５の先端に設けたリング部材１６を掛け止め片２４の掛け止め部２８から外すことができるのである。
これにより、吊り上げ対象物１，３から治具１０を簡単に取り外すことができるのである。
【００４１】
以上のような吊り上げ治具１０によれば、全体の構造が簡単で、しかも吊り上げ対象物１，３としての木製部材や鋼製部材への着脱等の取り扱いがきわめて容易に行えるばかりでなく、該対象物１，３を確実に保持して吊り上げることができる。
【００４２】
また、ロックレバー２２の軸支部２３を偏心させて自重により回動するように構成したり、掛け止め片２４にばね等で回動習性を与えるとともにひも２９等を引っ張ることで係合状態を解除できるように構成したり、該掛け止め片２４を係止する係止リング２５をコイルばね２６等の付勢手段で付勢することで、該係止状態が自動的に解除されるように構成しているから、治具１０の着脱がより一層簡単に行える。
さらに、上述した吊り上げ治具１０では、掛け止め片２４の外方端に係止リング２５が係止されているときには、該治具１０がロック状態にあることを目視にて確認できる確認用の目印とすることができるという利点がある。
【００４３】
なお、本発明は上述した実施の形態で説明した構造には限定されず、吊り上げ治具１０を構成する各部の形状、構造等を適宜変形、変更し得ることはいうまでもない。
【００４４】
たとえば上述した実施の形態では、吊り上げ治具１０の治具本体１１から垂下して設けた左右一対の支持片１２，１２により吊り上げ対象物である木製梁材１や鋼製梁材３を挟み込んで保持している場合を説明しているが、本発明はこれに限定されず、前記支持片１２，１２を左右に開閉または可動自在に構成し、梁材１，３の挟み込みが簡単に行えるようにしてもよい。
【００４５】
さらに、これらの支持片１２，１２の間隔を調整可能とすることにより、梁材１，３の大きさに対処できるように構成することも自由である。ここで、支持片１２，１２の可動量を大きく設定した場合には、その可動調整機構と適宜の位置でのロック手段とを、治具本体１１内に設ける等の変形例も考えられる。
また、上述した実施の形態では、ロックレバー２２の軸支部２３を偏心させることで、ベルト掛け止め片２４との係合状態が解除される方向への回動習性を自重によって得られるように構成しているが、これに限定されず、ばね等の付勢手段を利用してもよいことは言うまでもない。
【００４６】
【発明の効果】
以上説明したように本発明に係る吊り上げ治具によれば、治具本体の一端にベルト挿通部が、他端にベルト掛け止め機構部が設けられるとともに、吊り上げ対象物を挟み込んで保持する左右一対の支持片を設けた治具本体と、これに組み合わされる吊り上げベルトとで吊り上げ治具を構成し、吊り上げ時に該ベルトに働く荷重を利用して前記掛け止め機構部をロックし、荷重がないときに該機構部のロックを解除するように構成しているから、簡単な構造であるにもかかわらず、以下に述べる優れた効果がある。
【００４７】
すなわち、本発明によれば、木製部材、鋼製部材等といった種々の吊り上げ対象物を吊り上げ機構の昇降手段による吊り上げの際に、吊り上げ対象物の種類の如何によらず、着脱等の取り扱いがきわめて簡単に行え、しかも確実に保持して吊り上げることができるという種々優れた効果がある。
【図面の簡単な説明】
【図１】本発明に係る吊り上げ治具の一実施の形態を示す全体の概略側面図である。
【図２】図１の吊り上げ治具の使用状態を説明するための概略斜視図である。
【図３】図１、図２の吊り上げ治具において、掛け止め機構を説明するための要部拡大図である。
【図４】従来の吊り上げ手法を説明するための斜視図であり、（ａ）は木製梁材の場合、（ｂ）は鋼製梁材の場合をそれぞれ示す。
【符号の説明】
１…木製梁材（吊り上げ対象物）、３…鋼製梁材（吊り上げ対象物）、１０…吊り上げ治具、１１…治具本体、１２…支持片、１３…ベルト挿通部、１５…吊り上げベルト、１６…リング部材、１７…ローラ部、１８…延設片、２０…ベルト掛け止め機構部、２１…ベルト挿通部、２２…ロックレバー、２２ａ…係合部としての係合突部、２３…軸支部、２４…ベルト掛け止め片、２４ａ…被係合部としての係合溝、２４ｂ…軸支部、２５…係止リング、２６…付勢手段であるコイルばね、２７…リング係止部、２８…ベルト掛け止め部。
【図１】
2004018164.tif 000003
【図２】
2004018164.tif 000004
【図３】
2004018164.tif 000005
【図４】
2004018164.tif 000006